(57)【要約】【課題】吊りタイプのラックであってもケージを引っかける部分に塵埃等が堆積することを防止し、清掃作業性を格段に高めることができる吊りタイプの動物飼育ラックを提供する。【解決手段】吊りタイプの動物飼育ラック１は、飼育動物を収容するためのケージ２が収容されるべき棚空間３と、該棚空間３の左右両側を塞ぐ側板４と、棚空間３の上下両側を塞ぐ棚板５と、棚空間３の後側を塞ぐ後板６と、棚空間３の上側の棚板５から下方に延びてケージ２の上部を受容できる幅にて左右方向に複数配設されている仕切り板７と、該仕切り板７から離間した位置にて後板６から前方に向かって延び且つケージ２の鍔部８が載置されるべき略棒形状のガイドレール１０とを備えている。【選択図】        図１
2020103107.tif 000002
【特許請求の範囲】
【請求項１】
飼育動物を収容するためのケージが収容されるべき棚空間と、
該棚空間の左右両側を塞ぐ側板と、
前記棚空間の上下両側を塞ぐ棚板と、
前記棚空間の後側を塞ぐ後板と、
前記棚空間の上側の前記棚板から下方に延びて前記ケージの上部を受容できる幅にて左右方向に複数配設されている仕切り板と、
該仕切り板から離間した位置にて前記後板から前方に向かって延び且つ前記ケージの鍔部が載置されるべき略棒形状のガイドレールとを備えたことを特徴とする吊りタイプの動物飼育ラック。
【請求項２】
前記ガイドレールは断面が円形状であることを特徴とする請求項１に記載の吊りタイプの動物飼育ラック。
【請求項３】
前記仕切り板を挟んで両側に配された前記ガイドレールはその前端側にて互いに連結されて平面視にて略Ｕ字形状の連結部を有し、
前記仕切り板は前側から後側に向けて切欠かれた溝を有し、
前記連結部は前記溝内にて保持されていることを特徴とする請求項１又は２に記載の吊りタイプの動物飼育ラック。
【発明の詳細な説明】
【技術分野】
【０００１】
本発明は、動物を飼育しているケージが棚内に吊られて収容されている吊りタイプの動物飼育ラックに関する。
【背景技術】
【０００２】
動物飼育ラックとしては、陰圧一方向タイプと、給排気タイプのものが知られている（例えば特許文献１及び２参照）。これらはいずれもケージと称されるプラスティック容器内に飼育動物を収容し、このケージを複数収容する棚のようなものである。特許文献１に示す陰圧一方向タイプの動物飼育ラックは、棚の後面に備わる排気口からケージ内の空気を直接吸引することにより、棚に収容されているケージ内を陰圧とし、ケージ前面の開口部における気流を陰圧一方向流れに維持するものである。特許文献２に示す給排気タイプの動物飼育ラックは、棚の前面から給気された空気の一部をケージ内に吹き込み、吹き込んだ空気を背面から押し出してケージ内を換気するとともに、ケージ内を微陽圧に維持することによりケージ周囲の空気がケージ内に流入することを防御するものである。ケージから押し出された空気は、ラック後面の排気チャンバに備わる排気口から中央に備えられた排気ファンにより吸引されて大気に排気される。どちらのタイプも、ケージ内の動物からの臭気やアレルギー性物質等を棚前面の室内に漏らすことなく、空調又は浄化された室内空気をケージ内に供給して実験動物を飼育するものである。
【０００３】
また一方で、動物飼育ラックにはケージ収容方式として置きタイプと吊りタイプのものが知られている。吊りタイプは特許文献１に示すように、上側の棚板から奥行き方向のケージ両側に垂れ壁（仕切り板）を設け、この垂れ壁下端の係止片にケージの鍔部を引っかけるものである。この吊りタイプでは、ケージ下面は下側の棚板から離間している。吊りタイプの場合、ケージ上部の空間は左右方向にて仕切られているので、気流の制御がしやすいというメリットがある。置きタイプは特許文献３に示すように、下側の棚板にケージを載置してラック内に収容するものである。
【先行技術文献】
【特許文献】
【０００４】
【特許文献１】特開２００５−９５００４号公報
【特許文献２】特開平７−２０３７９４号公報
【特許文献３】特開平８−２２８６２３号公報
【発明の概要】
【発明が解決しようとする課題】
【０００５】
しかしながら、吊りタイプの場合、上述したように垂れ壁下端から横方に突出する係止片を設け、ここにケージの鍔部を引っかける構造となっており、このとき、鍔部の左右側面は垂れ壁に必ずしも密着しているわけではないので、鍔部の左右側面と垂れ壁との間には隙間が生じ、この隙間に対応した位置の係止片の全長に亘って餌屑や床敷粉末、動物由来の体毛等の塵埃が堆積する。このような係止片の上面に塵埃等が堆積すると、ケージを取り出した際には係止片を清掃する必要が生じ、その際はラックの奥まで手を伸ばして係止片の上面全長に亘って拭き取らなければならず、清掃作業性に問題があった。吊りタイプはケージの下側に隙間ができているため、棚板の清掃は置きタイプよりもやりやすい。したがって係止片の清掃作業性が向上すれば、吊りタイプの清掃は格段にやりやすくなる。
【０００６】
本発明は、上記従来技術を考慮したものであり、吊りタイプのラックであってもケージを引っかける部分に塵埃等が堆積することを防止し、清掃作業性を格段に高めることができる吊りタイプの動物飼育ラックを提供することを目的とする。
【課題を解決するための手段】
【０００７】
前記目的を達成するため、本発明では、飼育動物を収容するためのケージが収容されるべき棚空間と、該棚空間の左右両側を塞ぐ側板と、前記棚空間の上下両側を塞ぐ棚板と、前記棚空間の後側を塞ぐ後板と、前記棚空間の上側の前記棚板から下方に延びて前記ケージの上部を受容できる幅にて左右方向に複数配設されている仕切り板と、該仕切り板から離間した位置にて前記後板から前方に向かって延び且つ前記ケージの鍔部が載置されるべき略棒形状のガイドレールとを備えたことを特徴とする吊りタイプの動物飼育ラックを提供する。
【０００８】
好ましくは、前記ガイドレールは断面が円形状である。
【０００９】
好ましくは、前記仕切り板を挟んで両側に配された前記ガイドレールはその前端側にて互いに連結されて平面視にて略Ｕ字形状の連結部を有し、前記仕切り板は前側から後側に向けて切欠かれた溝を有し、前記連結部は前記溝内にて保持されている。
【発明の効果】
【００１０】
本発明によれば、ケージの鍔部が載置されるガイドレールと仕切り板とは離間しているので、ケージ上部の空間に舞い上がる塵埃等は仕切り板に沿ってこの離間した隙間からそのまま下側の棚板上に落下する。したがって仕切り板やガイドレール上に塵埃が堆積されることはなく、作業者は棚空間内の後方向に手を伸ばして清掃する必要がなくなる。このため、吊りタイプのラックであってもケージを引っかける部分に塵埃等が堆積することを防止し、清掃作業性を格段に高めることができる。
【００１１】
また、ガイドレールにはケージの鍔部が載置されるので塵埃等が堆積することはないが、万が一、鍔部がずれる等してガイドレールの一部がむき出しになっていたとしても、ガイドレールの断面形状が円形状であるためその上面に塵埃等が堆積しにくく、したがってガイドレール上への塵埃等の堆積を防止できる。また鍔部への接触面積を減少させることができるので（円形状の接点で接することになる）、ケージの着脱時の滑りが良くなり、操作が容易になる。
【００１２】
また、ガイドレールに連結部を設けて２本のガイドレールを一体とすることで、強度を向上させることができる。またこの連結部を仕切り板前部の溝内に保持することで、ガイドレールが片持ちとなることを防止し、したがって長期間ケージの重量に耐えることができ、ラック全体としての長寿命化を図ることができる。
【図面の簡単な説明】
【００１３】
【図１】本発明に係る吊りタイプの動物飼育ラックの概略正面図である。
【図２】ケージが棚空間内に収容されている状態の概略正面図である。
【図３】図２の概略側面図である。
【図４】ガイドレールを上側から見たときの概略図である。
【図５】仕切り板前部の、略Ｕ字形状の連結部を保持するための溝を示す概略図である。
【図６】ストッパの別の例を示す概略図である。
【発明を実施するための形態】
【００１４】
まずは本発明に係る動物飼育ラック１の構成について概略を説明する。図１〜図３に示すように、本発明に係る動物飼育ラック１は、例えばマウスやラット等の飼育動物（不図示）を収容するためのケージ２を複数収容するためのものである。このケージ２は、動物飼育ラック１の上下方向に複数並べて配設されている棚空間３内に収容される。棚空間３は前面が開口し、その左右両側を側板４で、上下両側を棚板５で、後側を後板６でそれぞれ塞がれている。別の言い方をすれば、棚板５は上下方向に隣り合う棚空間３を仕切って且つ間隔を存して上下方向に平行に配されている。そして、棚板５の左右両側は側板４にて塞がれている。ケージ２は棚空間の開口した前側から出し入れされる。
【００１５】
棚空間３の後側には、後板６と一体となっている筐形状の排気チャンバ１２が配設されている。後板６には、排気チャンバ１２が各棚空間３と通じるように排気口１３が開口して設けられている。この排気口１３は、棚空間３の後側に位置して空気を吸引して排気チャンバ１２に排気するためのものである。排気口１３はそれぞれの棚空間３の後側の上部に左右方向に間隔を存して並べて複数個配設されている。なお、排気口１３の入口側は除毛フィルタ等のフィルタ（不図示）にて覆われていてもよい。このフィルタにより飼育動物の体毛等が排気チャンバ１２内に流入することを防止できる。
【００１６】
棚空間３の上側の棚板５からは、仕切り板７が鉛直下方に延びるようにして形成されている。この仕切り板７は棚空間３の左右方向に対して間隔を存して複数配設されている。その間隔は、ケージ２の上部を受容できる幅、すなわちケージ２の左右方向の幅よりも幅広に設定されている。より具体的には、ケージ２にケージトップ９が取り付けられているときはケージトップ９よりも幅広に設定されている。これにより、ケージ２は左右の仕切り板７の間に収容可能である。ケージ２は上部が開口した容器形状であり、その開口周縁は外方に広がって鍔部８が形成されている。仕切り板７があることで、ケージ２の上部は上部棚板５、仕切り板７および後板６にて仕切られた状態となり、排気口１３から吸引されることで、棚空間３内は陰圧一方向の気流が確保される。なお、ケージ２の上部には飼育動物の逃亡防止のための網形状のケージトップ９が取り付けられ、ケージ２の上側はこのケージトップ９にて覆われている。なお、ケージトップ９は金網形状にて全体を形成されているが、材質としては金属の他、樹脂を用いてもよい。しかしながら強度及びオートクレーブ滅菌時の耐熱性を考慮すると金属製が好ましい。
【００１７】
仕切り板７からはケージストッパ１４が突出して形成されている。このケージストッパ１４はケージ２が不用意に、あるいは地震時に棚内から飛び出てしまうことを防止するためのものであり、ケージ２の鍔部８をラック１の前側から押えるためのものである。ケージ２を棚内に収容する際は、このケージストッパ１４を鍔部８が乗り越えるようにして収容される。また、動物飼育ラック１にはキャスタ１５が備わっている。このため、動物飼育ラック１は部屋のレイアウト変更等に応じて適宜移動可能である。また、動物飼育ラック１の下部には、キャスタ１５の他に脚部となる固定脚１６も備わっている。この固定脚１６は、上下方向に伸長可能なアジャスタ機構を有している。動物飼育ラック１の位置を固定する場合は、固定脚１６をキャスタ１５よりも下方向に長くすればよい。
【００１８】
また、図４を参照すれば明らかなように、後板６からは、前方に向かってガイドレール１０が延びている。ガイドレール１０は仕切り板７の左右両側に形成され、この仕切り板７に沿って延びている。このガイドレール１０は略棒形状であり、鍔部１３が載置されるべきものである。そして、ガイドレール１０は仕切り板７から離間した位置に配され、したがってその間には隙間１１が形成されている。ガイドレール１０は金属製であり、後板６にガイドレールの断面形状に対応した穴を開け、差し込んで固定される。
【００１９】
上述した構成によれば、ケージ２の鍔部８が載置されるガイドレール１０と仕切り板７とは離間し、隙間１１が形成されているので、ケージ２上部の空間に舞い上がる塵埃等は仕切り板７に沿ってこの離間した隙間１１からそのまま下側の棚板５上に落下する。したがって仕切り板７の一部やガイドレール１０上に塵埃が堆積されることはなく、作業者は棚空間３内の後方向に手を伸ばして清掃する必要がなくなる。このため、吊りタイプのラック１であってもケージ２を引っかける部分に塵埃等が堆積することを防止し、清掃作業性を格段に高めることができる。なお、塵埃等が鍔部８やケージトップ９上に堆積したとしても、これらの塵埃等はケージ２を棚空間３から出してしまえば容易に手元にて清掃することができるので、清掃作業性に影響を与えることはない。また、塵埃等が棚板５の上面に堆積したとしても、ケージ２は吊られているので棚板５の上面には遮るものが何もなく、作業者は容易に拭き取り作業をすることができる。この観点からも、塵埃等が隙間１１から落下したとしても清掃作業に影響を与えることはない。
【００２０】
ガイドレール１０の断面は円形状である。ガイドレールにはケージの鍔部が載置されるので塵埃等が堆積することはないが、万が一、鍔部がずれる等してガイドレールの一部がむき出しになっていたとしても、ガイドレールの断面形状が円形状であるため、その上面に塵埃等が堆積しにくくなる。したがってガイドレール１０上への塵埃等の堆積を防止できる。このような観点から、断面形状は楕円でも真円でもよいが、塵埃が上面を滑って落下されやすいことから真円形状が好ましい。またガイドレール１０の断面を円形状とすることで、ケージ２が載置された際に鍔部８への接触面積を減少させることができるので（円形状の接点で接することになる）、ケージ２の着脱時の滑りが良くなり、操作が容易になる。
【００２１】
また、仕切り板７を挟んで両側に配されたガイドレール１０は、その前端側にて互いに連結部１７にて連結されている。連結部１７は平面視にて略Ｕ字形状に湾曲しているので、ガイドレール１０は全体として略Ｕ字形状となっている。このようにガイドレール１０に連結部１７を設けて２本のガイドレール１０を一体とすることで、強度を向上させることができる。そして、図５に示すように、仕切り板７には溝１８が形成されている。この溝１８は、仕切り板７の前側から後側に向けて、すなわち前端面を切欠いて形成されている。上述した連結部１７は、この溝１８内にて保持されている。なお、溝１８の前端には下側から突出した係止片２１が備わり、ガイドレール１０の飛び出しを防止している。このように、連結部１７を仕切り板７の溝１８内に保持することで、ガイドレール１０が片持ちとなることを防止できる。このため、長期間ケージ２の重量に耐えることができ、ラック１全体としての長寿命化を図ることができる。
【００２２】
なお、図３を参照すれば明らかなように、ケージ２の前後方向の位置決めは、後板６に形成されたストッパ１９にて行われる。ストッパ１９はケージトップ９が当接する高さに形成され、後板６から前方に突出し、ここにケージトップ９が当接することで前後方向の位置決めがなされる。ストッパ１９はその上部がカバー部２０として形成されている。カバー部２０はその上面が前方にいくに従って下側に傾斜する傾斜面として形成されている。このようにストッパ１９にカバー部２０を設けることで、ストッパ１９に塵埃等が堆積することを防止できる。すなわち、カバー部２０の傾斜面により塵埃等はここに溜まり難く、上面を滑り落ち易い。カバー部２０は少なくとも鍔部８の上方まで延びている。カバー部２０の上面を滑り落ちた塵埃等は、鍔部８か、あるいはケージ２内に落下する。したがって清掃のためにストッパ１９（カバー部２０）は拭き取り易くなるとともに、棚板５への落下も防止して清掃作業性を格段に向上させることができる。
【００２３】
ただ、上述したように、棚板５の拭き取り作業はそれほど大変なものではない。したがって図６に示すように積極的に棚板５に塵埃等を落下させるような構造としてもよい。図６の例では、ストッパ１９のカバー部２０は鍔部８の上方まで延びずに、ケージトップ９に当接する位置の鉛直上方までしか延びていない。この位置まではカバー部２０の上面は前側に向けて下方に傾斜している。このような構成とすれば、カバー部２０上面を滑り落ちる塵埃等は鍔部８に落下せずにケージ２とストッパ１９との間の隙間から棚板５上に落下する。このようにストッパ１９のカバー部２０の突出長さを変更することで、塵埃等をケージ２内や鍔部８に落下させるか、あるいは棚板５上に落下させるかを選択することができる。どちらを採用しても、カバー部２０の上面が傾斜しているのでここへの塵埃等の堆積は少なくなり、清掃作業性は向上する。
【符号の説明】
【００２４】
１：動物飼育ラック、２：ケージ、３：棚空間、４：側板、５：棚板、６：後板、７：仕切り板、８：鍔部、９：ケージトップ、１０：ガイドレール、１１：隙間、１２：排気チャンバ、１３：排気口、１４：ケージストッパ、１５：キャスタ、１６：固定脚、１７：連結部、１８：溝、１９：ストッパ、２０：カバー部、２１：係止片
【図１】
2020103107.tif 000003
【図２】
2020103107.tif 000004
【図３】
2020103107.tif 000005
【図４】
2020103107.tif 000006
【図５】
2020103107.tif 000007
【図６】
2020103107.tif 000008